(57)【特許請求の範囲】
【請求項１】
光源と、該光源からもたらされる光の経路を制御する制御可能要素を有する表示ユニットとを有する投影システムの光出力を調整する方法であって：
前記表示ユニットの前記制御可能要素についてのスイッチングシーケンスをコンパイルする段階であって、前記スイッチングシーケンスは複数の長いセグメント及び複数の短いセグメントを有し、それにより、長いセグメントは所定の閾値に等しいか又は該閾値より長い持続時間を有し、短いセグメントは前記閾値に等しいか又は前記閾値より短い持続時間を有する、段階；
光出力調整指標を得る段階であって、該光出力調整指標により、前記光源の前記光出力が調整されるようになっている、段階；並びに
前記スイッチングシーケンスのセグメントの間に光パルスシーケンスの光パルスの持続時間が前記光出力調整指標に対応するように、前記光パルスシーケンスを生成し、前記光パルスの開始が、前記スイッチングシーケンスの長いセグメントの間に生じ、前記スイッチングシーケンスの短いセグメントは、前記スイッチングシーケンスの長いセグメントにより先行されるように、前記スイッチングシーケンスに関連する前記光パルスを配置する段階；
を有する方法。
【請求項２】
請求項１に記載の方法であって、長いセグメント及び短いセグメントを区別する前記所定の閾値は、前記投影システムの前記光源及び／又は光源ドライバの特性に基づいている、方法。
【請求項３】
請求項１又は２に記載の方法であって、前記所定の閾値は、前記光源の前記光出力についての前記光出力調整指標に基づいている、方法。
【請求項４】
請求項１乃至３の何れか一項に記載の方法であって、複数の異なる色の光源についてのスイッチングシーケンスが組み合わされたスイッチングシーケンスを与えるようにインターリーブされる、方法。
【請求項５】
請求項１乃至４の何れか一項に記載の方法であって、前記光源は複数の発光ダイオード及び／又はレーザダイオードを有する、方法。
【請求項６】
光源と、該光源からもたらされる光の経路を制御する制御可能要素を有する表示ユニットとを有する投影システムの光出力を調整するシステムであって：
前記表示ユニットの前記制御可能要素についてのスイッチングシーケンスをコンパイルするスイッチングシーケンスコンパイラであって、前記スイッチングシーケンスは複数の長いセグメント及び複数の短いセグメントを有し、それにより、長いセグメントは所定の閾値に等しいか又は該閾値より長い持続時間を有し、短いセグメントは前記閾値に等しいか又は前記閾値より短い持続時間を有する、スイッチングシーケンスコンパイラ；
光出力調整指標を得るインタフェースであって、該光出力調整指標により、前記光源の前記光出力が調整されるようになっている、インタフェース；並びに
前記スイッチングシーケンスのセグメントの間に光パルスシーケンスの光パルスの持続時間が前記光出力調整指標に対応するように、前記光パルスシーケンスを生成し、前記光パルスの開始が、前記スイッチングシーケンスの長いセグメントの間に生じ、前記スイッチングシーケンスの短いセグメントは、前記スイッチングシーケンスの長いセグメントにより先行されるように、前記スイッチングシーケンスに関連する前記光パルスを配置する光パルスシーケンサ；
を有するシステム。
【請求項７】
投影システムにおける光源についての光源駆動構成であって：
光出力調整指標を得るインタフェースであって、該光出力調整指標により、前記光源の前記光出力が調整されるようになっている、インタフェース；
前記投影システムの表示ユニットのスイッチングシーケンスを得るインタフェースであって、前記スイッチングシーケンスは複数の長いセグメント及び複数の短いセグメントを有する、インタフェース；並びに
前記スイッチングシーケンスのセグメントの間に光パルスシーケンスの光パルスの持続時間が前記光出力調整指標に対応するように、前記光パルスシーケンスを生成し、前記光パルスの開始が、前記スイッチングシーケンスの長いセグメントの間に生じ、前記スイッチングシーケンスの短いセグメントは、前記スイッチングシーケンスの長いセグメントにより先行されるように、前記スイッチングシーケンスに関連する前記光パルスを配置する光パルスシーケンサ；
を有する光源駆動構成。
【請求項８】
投影システムの表示ユニットを制御する表示ユニット制御器であって：
ビデオデータを得るインタフェース；
映像データに基づいて前記投影システムの前記表示ユニットについてのスイッチングシーケンスを生成するスイッチングシーケンサであって、前記スイッチングシーケンスは複数の長いセグメント及び複数の短いセグメントを有する、スイッチングシーケンサ；
光出力調整指標を得るインタフェースであって、該光出力調整指標により、前記光源の前記光出力が調整されるようになっている、インタフェース；
前記スイッチングシーケンスのセグメントの間に光パルスシーケンスの光パルスの持続時間が前記光出力調整指標に対応するように、前記光パルスシーケンスを生成し、前記光パルスの開始が、前記スイッチングシーケンスの長いセグメントの間に生じ、前記スイッチングシーケンスの短いセグメントは、前記スイッチングシーケンスの長いセグメントにより先行されるように、前記スイッチングシーケンスに関連する前記光パルスを配置する光パルスシーケンサ；及び
光源駆動構成に前記光パルスシーケンス制御信号を出力する信号出力であって、前記光源駆動構成は前記光源を制御する、信号出力；
を有する表示ユニット制御器。
【請求項９】
光源；
該光源からもたらされる光の経路を制御する制御可能要素を有する表示ユニット；
表示ユニット制御器；及び
光源駆動構成；
を有する投影システムであって、
前記表示ユニット制御器は前記請求項８により実現される、又は前記光源駆動構成は前記請求項７により実現される；
投影システム。
【発明の詳細な説明】
【技術分野】
【０００１】
本発明は、投影システムの光出力を調整する方法及び投影システムの光出力を調整するシステムに関する。本発明は更に、投影システムの光源についての光源駆動構成、投影システムの表示ユニットを制御する表示ユニット制御器、及び投影システムに関する。
【背景技術】
【０００２】
半導体及び光学の分野における継続的な開発により、プロジェクタ及びリアプロジェクションテレビジョンは価格が益々手頃になってきて、それ故、家庭環境での使用が益々一般的になってきている。そのような開発の例は、プロジェクタで用いるディジタル光処理（Ｄｉｇｉｔａｌ  Ｌｉｇｈｔ  Ｐｒｏｃｅｓｓｉｎｇ（ＤＬＰ（登録商標））、即ち、Ｔｅｘａｓ  Ｉｎｓｔｒｕｍｅｎｔｓ（登録商標）社により開発された技術である。ＤＬＰを用いると、半導体チップに備えられた微細小型のミラーのアレイを有する表示ユニットから光を反射さる又は偏光させることにより画像が生成される。そのような表示ユニットは、デジタルマイクロミラーデバイス、即ちＤＭＤと呼ばれている。そのＤＭＤにおける複数のミラーは、‘オン’の位置と‘オフ’の位置とでスイッチングされるように別個に制御されることが可能であり、各々のミラーは、投影される画像におけるピクチャ要素、即ち‘画素’に対応している。‘オン’の位置においては、光源から入来する光は投影領域の方に反射され、そして‘オフ’の位置においては、対応する画素についての投影領域に方向付けられる光が存在しないように、光は光シンクの方に偏光される。他の種類の表示ユニットは、光を透過させる又は光が透過しないように遮ることで開閉される‘光バルブ’のアレイを有することが可能である。そのような表示ユニットの制御可能な要素はまた、対応する画素の得られる輝度又は強度を変えるように、迅速にスイッチングされることも可能である。人間の目の反応時間のために、ビューアは、そのような表示ユニットの制御可能要素のスイッチングを実際には知覚することはできない。
【０００３】
画像フレーム又は映像フレームにおける画素の強度又は知覚される輝度は、映像フレーム時間中に対応する要素を高速スイッチングすることにより制御され、ここで、映像フレーム時間は、映像シーケンスにおける信号フレームの持続時間である。例えば、映像フレーム時間の間のミラーについての‘オン’の位置及び‘オフ’の位置は、そのミラーの２進数又は制御シーケンスにより決定され、その２進数又は制御シーケンスにおいて、‘１’の値は一般に‘オン’を、即ち、光がミラーにより投影領域に反射されることを表す一方、‘０’の値は‘オフ’を表し、それ故、光は光シンクに偏光される。２進数におけるビット数は、‘オン’と‘オフ’との間でスイッチングするようにミラーについて必要な時間の最短の長さ及び映像フレーム時間により最終的に決定される。パルス幅変調は通常、２進数の‘より高次の’ビット（最も重要なビット、即ちＭＳＢに近接するビット）が、映像フレームにおいて‘より低次の’ビット（最も重要でないビット、即ちＬＳＢに近接するビット）より長く与えられるように、従来技術のアプリケーションにおいて適用される。例えば、ＭＳＢは、全体的な映像フレーム時間の約半分が与えられる。次のビットは、映像フレーム時間の約１／４が与えられ、後続するビットは、映像フレーム時間の約１／１が与えられる、等である。
【０００４】
現在まで使用されてきた殆どの投影システムは、赤色、緑色及び青色で画像を生成するように赤色、緑色及び青色フィルタを有するカラーホイールを用いることを必要とする、白色光のみを発する光源を用いることに基づいている。そのような投影システムの明らかな短所は、カラー化画像を得るために必要な、複雑で高価な構成要素と、カラーフィルタが光の一部を吸収し、それ故、光源は画像について実際に必要である以上に大きい光出力を供給する必要があるということとにある。更に、今日まで用いられている気体放電ランプは、限定された寿命を有し、過熱、不適切なハンドリング、又は例えば、暗い映像シーケンスの間にランプが暗くされるときにもたらされる焼け（ｂｌａｃｋｅｎｉｎｇ）からもたらされる損傷に対して脆弱である。
【０００５】
発光ダイオード（ＬＥＤ）技術及び半導体レーザ技術における進展は、投影システムにおける別個の赤色、青色及び緑色光源を有することを可能にし、それ故、白色光を用いてカラー化画像を生成するために必要なカラーホイール及び他の複雑な構成要素はもはや必要ではない。更に、半導体ＬＥＤ及びレーザ光源は小さく、相対的に長い寿命を有し、それ故、それらの固体光源はまた、消費者には魅力的である。
【０００６】
プロジェクタにより生成される画像は、例えば、暗いフィルムシーケンスにおいては調光されることが可能である必要がある一方、全体的な画像品質は尚も維持される。しかしながら、表示ユニットは、単に特定の範囲に対して画像を調光するように用いることが可能である一方、画像品質は高いレベルに維持される。複数のビット、即ち、通常は高次のビットは、表示ユニットにおける対応する要素をオフにスイッチングすることにより画像を調光するように‘犠牲にされる’必要があるため、画像の輝度を表現するビットはあまり残っていない。従って、表示ユニットのみにより調光される画像は、一般に、動的な損失及びコントラストにより特徴付けられる。正味の光出力の調整は、投影領域まで透過することが可能である光量を制御する表示ユニットと、光源自体により実際に出力される光量を制御するように調光される又は調光されない光源との両方を用いることにより一般に、得られる。通常の種類の気体放電プロジェクタランプは、色点のかなりの偏光を伴うことなく、調光される又は調光されない、即ち、画像カラーのディストーションをもたらさない又はあまりもたらさない。そのようなランプは、ランプを流れる電流を減少させることにより調光されることが可能である。しかしながら、ＬＥＤ等の固体光源が、装置を流れる電流を減少させることにより調光されるとき、得られる光の色点は変動し、それ故、従来の方法を用いる調光は満足のいくものではない。この課題に対処する一方法は、映像フレーム時間の間にＬＥＤのオン及びオフを迅速にスイッチングすることによりＬＥＤ光出力を減少させることであり、その技術は、ＬＥＤ（液晶ディスプレイ）、ＬＣｏＳ（Ｌｉｑｕｉｄ  Ｃｒｙｓｔａｌ  ｏｎ  Ｓｉｌｉｃｏｎ）ディスプレイ、又は白色ＬＥＤ及びカラーホイールを用いる投影システム等のアナログディスプレイを用いる投影システムで用いられることが可能である。しかしながら、このＬＥＤ調光技術は、映像フレームの間に要素も迅速にオン及びオフがスイッチングされる表示ユニットと関連付けて用いられるとき、タイミングの不一致をもたらす。更に、コストパフォーマンスの高いＬＥＤドライバ回路のスイッチング特性は、ＬＥＤがオンにスイッチングされるときに、光出力の比較的大きい変動が開始時に生じるようなものであり、それ故、その結果として得られる光出力は、その開始時に、歪められてしまう。
【発明の概要】
【発明が解決しようとする課題】
【０００７】
それ故、本発明の目的は、上記の課題を回避しながら、固体光源を調光することができる方法を提供することである。
【課題を解決するための手段】
【０００８】
このために、本発明は、光源からもたらされる光のパスを制御する制御可能要素を有する表示ユニット及び光源を有する投影システムの光出力を調整する方法であって、表示ユニットの制御可能要素のためのスイッチングシーケンスをコンパイルする段階であって、そのスイッチングシーケンスは長いセグメント及び短いセグメントを有し、それにより、長いセグメントは所定の閾値に等しいか又はそれより長い持続時間を有し、短いセグメントは所定の閾値に等しいか又はそれより短い持続時間を有する、段階を有する。光源の光出力が調整されるようになっている量を与える光出力調整指標が得られ、そしてスイッチングシーケンスのセグメントの間の光パルスシーケンスの光パルスの持続時間がその光出力調整指標に対応し、光パルスが、光パルスの活性化が短いセグメントにおいては起こらないようなスイッチングシーケンスに関連して準備されるように、光パルスシーケンスが生成される。
【０００９】
本発明に従った方法は、一般に、気体放電ランプ等の何れかの種類の光源に適用されることが可能である。しかしながら、その方法は、好適には、複数の固体光源、例えば、１つ又はそれ以上のＬＥＤ又はレーザダイオードを有する光源に適用可能である。用語‘固体’は、一般に、半導体素子のことをいう。以下、簡単化のために、光源は１つ又はそれ以上のＬＥＤを有することを前提としているが、何れにしても、本発明の範囲を制限するものではない。光が方向付けられる表示ユニットは、上記のように、ＤＭＤ（登録商標）であることが可能であり、又は、光バルブのアレイ等の何れかの他の積雪な種類の表示ユニットであることが可能である。以下、簡単化のために、表示ユニットはデジタルマイクロミラーデバイスであり、何れにしてもまた、本発明を制限するものではない。
【００１０】
映像フレームの間の画像画素についての正味の光をより良好に分配するように、そのより長い又はより高次のビット持続時間はセグメントに分割されることが可能である。より短い又はより低次のビット持続時間はそのままの状態で維持され、それ故、そのようなセグメントは、対応するビットを有する。‘長い’セグメント及び‘短い’セグメントの配列はスイッチングシーケンスを与え、それにより、‘長い’又は‘短い’としてのセグメントの分類が、所定の閾値に従って行われ、そのことについては、下で、より詳細に説明する。持続時間が所定の閾値より短い何れかのセグメントは‘短い’セグメントとして分類される一方、持続時間が所定の閾値より長い何れかのセグメントは‘長い’セグメントとして分類される。
【００１１】
上記のように、投影画像の輝度は、光源の光出力を増加又は減少させることにより制御されることが可能である。本発明に従って方法においては、指標であって、その指標により光出力が調整されるようになっている、指標、即ち、光出力調整指標は、ある値、例えば、５０％、２５％、２０％等の割合を表す信号であることが可能であり、そして光源により出力されるようになっている光量に直接的に又は間接的に影響を与えることが可能である。
【００１２】
本発明に従って、光パルスのシーケンスは、光源の正味の活性化時間が光出力調整指標と対応するように、映像フレーム時間の間に光源を交互に活性化及び非活性化することにより生成され、光源の活性化及び非活性化は、短いセグメントが関与している場合には、光源の活性化はスイッチングシーケンスの短いセグメントにおいては起こらないように、スイッチングシーケンスに従って同期される。
【００１３】
本発明に従った方法の明らかな有利点は、光源が表示ユニットのスイッチングシーケンスと同期してスイッチングされることであり、それ故、そのランプのスイッチング時間と表示ユニットの制御可能要素のスイッチング時間との間の不一致は存在しない。更に、短いセグメントの間、光パルスは非活性化されるのみであり、活性化されないように、光パルスを配置することにより、映像フレーム時間の間の画素についての正味の光出力は、オンにスイッチングされた直後に生じる光出力における変動により換えられる又は歪められる。更に、光源は変調されることが可能である一方、一定電流において動作されるため、光源の色点は維持される。
【００１４】
光源からもたらされる光のパスを制御するための制御可能要素を有する表示ユニット及び光源を有する投影システムの光出力を調整する適切なシステムは、表示ユニットの制御可能な要素についてのスイッチングシーケンスをコンパイルするスイッチングシーケンスコンパイラであって、そのスイッチングシーケンスは長いセグメント及び短いセグメントを有し、それにより、長いセグメントは所定の閾値に等しい又はそれより長い持続時間を有し、短いセグメントは所定の閾値に等しい又はそれより短い持続時間を有する。光源の光出力が調整されるようになっている光出力調整手段は、そのシステムのインタフェースを介して得られる。そのシステムは、スイッチングシーケンスのセグメントの間の光パルスシーケンスの光パルスの持続時間が光出力調整指標に対応するように、光パルスシーケンスを生成するための、そして光パルスの活性化がスイッチングシーケンスの短いセグメントに入らないように、スイッチングシーケンスに関連する光パルスを配置するための、光パルスシーケンサを更に有する。
【００１５】
従属請求項及び下の詳細説明は、本発明の特に有利な実施形態及び特徴について開示している。
【００１６】
冒頭に記載しているように、発光ダイオード及びその発光ダイオードのドライバ回路（例えば、バック変換器のようなスイッチング可能モード電源）のスイッチング特性は、電流は必要なレベルまで安定化するのにある時間が必要であるため、オンにスイッチングした直後にある時間の間、比較的大きい発振が起こる可能性があるようなものである。そのような発振は、ＬＥＤがオンにスイッチングされた後にのみ生じ、特定の電圧レベル及び特定の電流については、ＬＥＤの光出力の発振の程度と持続時間は、オンにスイッチングされる度に、実質的に同じになる。比較的‘きれいな’ＬＥＤのオフへのスイッチングは、即ち、光出力は０に急峻に、実質的に瞬間的にそして何ら発振を伴うことない、スイッチングは、ＭＯＳＦＥＴスイッチ等の回路への比較的重要でない付加により容易に達成されることが可能である。スイッチングオンの発振の持続時間は、特定のＬＥＤ光源について測定されることが可能であり、それ故、パルス幅閾値が決定される。本発明に従った方法においては、光パルスシーケンスの光パルスは、スイッチングシーケンスの短いセグメントにおいて、光パルスの非活性化のみが生じるように、配置され、その理由は、光出力における発振は短いセグメントには含まれないことであり、その場合、光源のスイッチングオンの振動はスイッチングシーケンスの短いビットに割り当てられる時間に比べて長い時間の長さの間持続するために、それらの発振は正味の光出力の歪みをもたらす可能性がある。従って、本発明の好適な実施形態においては、それらのスイッチング特定、即ち、機能的な且つ動作可能な特性は、スイッチングシーケンスのセグメントを‘長い’又は‘短い’への分類についての閾値を決定する。
【００１７】
フル光出力においては、ＬＥＤは１００％で動作しているといわれ、それは、ＬＥＤの少なくとも１つの色が、全体の映像フレーム時間の間、オン又は活性にされる。‘調光’効果は、光出力調整指標に従って‘オン’及び‘オフ’間でスイッチングするように光源をパルス化することにより本発明に従った方法において得られる。５０％だけ光源を調光するように、例えば、光パルスシーケンサは、光パルスが、映像フレーム時間の５０％の正味の持続時間の間、生成されるように、ＬＥＤをオン及びオフにスイッチングする。ＬＥＤは一定電流で動作されるため、ＬＥＤの実際の輝度は、実質的に変わらずに保たれ、光源の色点は維持される。フル光出力の２５％に調光するように、ＬＥＤ光パルスは、‘オン’パルスの正味の持続時間が映像フレーム時間の２５％を有するように、生成される。光源をパルス化することにより光出力を調光することは、それ故、光出力のパルス幅変調を実行することとみなされる、スイッチングシーケンスのセグメントを‘長い’又は‘短い’に分類するための所定の閾値は、光源をオン及びオフにスイッチングすることにより生成される光パルスの幅に対する下限が存在するために、光出力調整指標によりある程度まで支配される。この最小パルス幅は、異なる光源及び／又は光源ドライバについては異なることが可能である。光源の最小パルス幅が比較的長い場合、それ故、スイッチングシーケンスのより一層の下位レベルのビットを‘短い’セグメントとして分類する必要がある。比較的短い最小光パルス幅については、より一層のセグメントが‘短い’として分類されることが可能である。
【００１８】
更に、それらの光パルスは、上記のように、スイッチングシーケンスに対して同期化され、それ故、スイッチングシーケンスの各々のセグメントは、光パルスの少なくとも一部により‘カバー’される。視覚的にいって、光パルスシーケンスの光パルスは、光調整指標に対応するセグメントの部分は光パルスの一部により‘カバー’されるように、スイッチングシーケンスのセグメントに対して配置される。換言すれば、光出力が５０％まで調光されるようになっている場合、各々のセグメントの半部は光パルスにより‘カバー’される。７５％まで調光されるとき、光パルスは、それに相応してより長くなり、それ故、各々のセグメントの３つの四等分部分は光パルスにより‘カバー’される、等などである。明らかに、長いセグメントは、隣接する短いセグメントに比べてより一層の光パルスによりカバーされる。同様に、長いセグメントが同じ長さの他の長いセグメントにより後続される場合、それら２つのセグメントの各々は、光パルスの同じ量だけカバーされる。
【００１９】
光パルスの最小幅は、整定時間の持続時間により最終的には支配され、又は、発振はオンにスイッチングしている間に生じ、それらの振動は短いセグメント内にはないため、ＬＥＤの変調能力に対する下限が存在する。最終的には、最短の光パルスの持続時間は、光源の発振位相の持続時間の少なくとも２倍であることが可能である。
【００２０】
光源の光出力は、定格の光出力レベルの辺りで僅かに又はかなり大きい範囲まで変動することが可能であるが、それらの変動の影響は、このセグメントについての全体的な光出力をビューアが平均化するように知覚するために、それらの変動がスイッチングシーケンスの十分に長いセグメントの間に生じるとき、ユーザには知覚されない。しかしながら、それらの変動がスイッチングシーケンスの短いセグメントの範囲内に入る場合、得られる画像の輝度レベルは歪められるために、それらの影響は、実際には、知覚可能である。それ故、本発明の特定の好適な実施形態においては、光パルスの活性化は、スイッチングシーケンスの長いセグメントの間に生じる。このように、光出力における何れかの変動は長いセグメントにおいて平均化され、‘きれいな’オフのスイッチングが短いセグメントにおいて起こる。
【００２１】
上記のように、光源が調光されるとき、スイッチングシーケンスのセグメントをカバーする光パルスの部分は、光調整指標に、即ち、フル光出力の一部に、直接対応する。本発明に従った方法においては、光パルスは全体のセグメントを‘カバー’しないため、位置のセグメントの間に光源がオンにスイッチングされ、後続のセグメントの間に、オフにスイッチングされるように、光源がパルス化されることが理解できる。本発明の特定の好適な実施形態においては、それ故、スイッチングシーケンスは、短いセグメントにより後続される長いセグメントを有するように、好適にコンパイルされ、それ故、光源は常に、ある長いセグメントの間にオンにスイッチングされ、後続の短いセグメントの間に‘きれいに’オフにスイッチングされることが可能である。換言すれば、スイッチングシーケンスの短いセグメントは、好適には常に、長いセグメントにより先行される。
【００２２】
より満足のいく画像レンダリングを提供するように、各々の表示要素についての制御シーケンスのパルス幅変調ビットは、副分割され、再配置されることが可能であり、それ故、‘長い’ビットのビット値はフレーム時間に亘って分配される。制御シーケンスにおけるビットは、時間の持続時間であって、ミラーが‘オン’又は‘オフ’である、時間の持続時間を表すため、制御シーケンスのビットを副分割すること及び再配置することは、ミラー要素が‘オン’又は‘オフ’である正味の時間を変えないが、ユーザの視点からのより満足のいく画像レンダリングを与える、ビデオ時間フレームに亘ってより一様に‘オン’時間及び‘オフ’時間を容易に分配する。例えば、最も重要なビット、又は最も高い値のビットが、ｎ個のセグメントに一様に分割され、最も高い値のビットのように‘長い’の実質的に半分である後続のビットは、ｎ／２のセグメントに均等に分割されることが可能である、等などであり、ビットの‘長さ’が所定の閾値より短い長さに、即ち、その場合に、ビットは更に分割できない、長さに達するまで、繰り返される。副分割されたビット全てが‘長い’セグメントをもたらし、副分割されるには短過ぎるビット全てが‘短い’セグメントをもたらす。長いセグメント及び短いセグメントは、その場合、例えば、全体的な映像フレーム時間に亘って長いセグメント及び短いセグメントを一様に交互に並べることにより、再再配置されることが可能であり、それ故、表示ユニットのミラー要素が、その場合、映像時間シーケンスの間に、かなりしばしばスイッチングされることが可能である。これは、‘長い’ビットの効果を平均化するように役立つ。
【００２３】
表示ユニットのスイッチングシーケンスは、製造業者により予め特徴づけられることが可能であり、上記のように、長いセグメント及び短いセグメントを交互に並べることを含む必要はない。例えば、スイッチングシーケンスは、一連の短いセグメントにより後続される一連の長いセグメントを有することが可能である。そのようなスイッチングシーケンスにおいては、短いセグメントのグループは、何も発生しないポーズ又はインターバルにより先行され、それらのポーズ又はインターバルにおいて、表示ユニットのミラーは‘オフ’位置にスイッチングされる。この場合、光源の光パルスは、上記と異なる方式でスイッチングシーケンスに対して配置されることが可能である。例えば、全体の光パルスは、各々の長いセグメントの中央について対称的であるように配置されることが可能であり、それ故、その光パルスは、長いセグメントにおいてオン及びオフの両方にスイッチングされ、各々の長いセグメントは、光調整指標に対応する量の光パルスにより‘カバー’される。その場合、短いセグメントのグループに先行するインターバルにおいて、光源は、光パルスの発進が短いセグメントのグループに先行するインターバルの間に生じるように、好適にスイッチングされ、その光パルスは、短いセグメントの間、オフにスイッチングされる。スイッチングオンの時間は、短いセグメントをカバーする光パルスの部分が光調整指標に対応するように選択される。
【００２４】
上記のように、本発明に従った方法で用いる光源は、複数の異なる色の個別の光源を有することが可能である。それらの光源の各々は、光出力調整指標に対応する正味の持続時間の間、本発明に従って、オン又はオフにスイッチングされ、異なる色、即ち、赤色、緑色及び青色の画像が、ユーザにとって全体的な画像であるように知覚される。赤色画像、緑色画像及び青色画像が映像時間フレームにおいて連続的に生成されることが可能であり、単一の赤色画像、単一の緑色画像及び単一の青色画像が１つの映像時間フレームにおいて生成される。しかしながら、より高品質の画像が、より多くの色の画像が単独の映像時間フレームにおいて生成されるときに、得られる。従って、本発明の特定の好適な実施形態においては、複数の異なる色の光源についてのスイッチングシーケンスは、組み合わされたスイッチングシーケンスを与えるようにインターリーブされる。異なる色の光源の各々についてのスイッチングシーケンスが同様にコンパイルされるため、好ましい色バランスを得るように、ミラーが異なることを除いて、スイッチングシーケンスは効果的に同一である。それらのスイッチングシーケンスは、その場合、それらの異なるスイッチングシーケンスから連続的なセグメントの同一のグループを容易に配置することによりインターリーブされることが可能である。これについては、下で、図についての記載でグラフィカルに示される。
【００２５】
投影システムにおける光源についての光源駆動構成は、光源調整指標を得るためのインタフェースであって、その指標により光源の光出力が調整されるようになっている、インタフェース、即ち、投影システムの表示ユニットのスイッチングシーケンスを得るインタフェースを有し、そのスイッチングシーケンスは、長いセグメント及び短いセグメントと、スイッチングシーケンスのセグメントの間に光パルスシーケンスの光パルスの持続時間が光出力調整指標に対応するように光パルスシーケンスを生成するための、そして光パルスの非活性化がスイッチングシーケンスの短いセグメントの間に生じるようにスイッチングシーケンスに関連する光パルスを配置するための、光パルスシーケンサと、を有する。
【００２６】
そのような光源駆動構成は、別個のエンティティとして実現されることが可能であり、１つ又はそれ以上の異なる種類の表示ユニットと関連付けて用いるようにデザインされることが可能であり、そして、投影システムにおいて本発明に従った光源調整システムを得るように投影システム製造業者に構成要素として供給されることが可能である。
【００２７】
表示ユニットのスイッチングシーケンスは表示ユニットの製造業者により供給されることが可能であり、その表示ユニットは、ＤＭＤと、ディスプレイユニットの適切な動作のために必要な他の電気構成要素に伴う関連プロセッサと、を有することが可能である。他の製造業者からの光源駆動構成で用いるように意図された表示ユニットは、適切なインタフェースを備えることが可能であり、そのインタフェースにより、コマンド又は信号が、互換性があるインタフェースを有する光源駆動構成により発せられる及び／又は受信されることが可能である。そのような信号は、光パルスシーケンサが表示ユニットのためのスイッチングシーケンスに対する出力と同期することが可能であるように、周期的な同期信号を有することが可能である。代替として、スイッチングシーケンスは、本発明に従った光出力調整システムのスイッチングシーケンスコンパイラにより生成されることが可能である。そのようなコンパイラは、異なる色の光源の数等の動作パラメータに従って適切なスイッチングシーケンスをコンパイルするソフトウェアモジュール又はアルゴリズムであることが可能であり、別個の光源のためのスイッチングシーケンスはインターリーブされるようになっていて、そのレートで、システムの表示ユニットの制御可能要素はスイッチングされることが可能である、等である。
【００２８】
光源調整指標を得るためのインタフェースは、例えば、予め画像データを処理し、映像シーケンスについての全体的な光出力レベルが高くされる又は低くされる必要があるかどうか、そして光の調整のどれ位の量及びどれ位の割合、光源により実行されるようになっているかを判定する画像レンダリングアルゴリズムからの信号を有することが可能である。映像フレーム時間又は映像フレームシーケンスについての光調整指標が、例えば、光出力が調光される必要がある量を表す信号により光源駆動構成に対して指定されることが可能である。そのような信号は、光出力を低く又は高くすべき量を表す２値を有することが可能であり、又は、電圧レベルにより、必要なフル光出力の割合を表すことが可能である。同様に、そのようなインタフェースはまた、例えば、ユーザが適切なボタン又はノブにより投影システムの全体的な光出力を調整するときに、ユーザ入力を有することが可能である。光出力調整システムについての光パルスシーケンサは、適切なプロセッサにおいて実行されるソフトウェアモジュールであることが可能であり、そのソフトウェアモジュールは、光パルスの幅を決定するように光出力調整指標を、それ故、光源がオン及びオフにスイッチングされるようになっている時間を解釈する。
【００２９】
代替の好適な実施形態においては、投影システムの表示ユニットを制御する表示ユニット制御器は、映像データを得るためのインタフェースと、映像データに基づいて投影システムの表示ユニットについてのスイッチングシーケンスを生成するスイッチングシーケンサと、を有することが可能である。上記のように、スイッチングシーケンスは、長いセグメント及び短いセグメントを有することが可能である。そのような表示ユニット制御器はまた、光出力調整指標であって、その光出力調整指標により投影システムの光源の光出力が調整されるようになっている、光出力調整指標を得るためのインタフェースを有することが可能である。そのインタフェースは、映像データから、又は投影システムの外部制御器からも、光出力調整指標を得ることが可能である。代替として、単独のインタフェースに代えて、２つのインタフェースであって、一のインタフェースは、映像データから光出力調整指標を得るためのものであり、他のインタフェースは、投影システムの制御ノブ等の外部ソースから光出力調整指標を得るためのものである、２つのインタフェースを備えることが可能である。表示ユニット制御器はまた、スイッチングシーケンスのセグメントの間に光パルスシーケンスの光パルスの持続時間が光出力調整指標に対応するように光源についての光パルスシーケンス制御信号を生成するための、そして光パルスの活性化がスイッチングシーケンスの短いセグメントの間に生じないようにスイッチングシーケンスに関連する光パルスを配置するための、光パルスシーケンサを有する。表示ユニット制御器の適切な信号出力は、別個の光源駆動構成に光パルスシーケンス制御信号を供給することが可能であり、その光源駆動構成はまた、光源を制御する光パルスシーケンスを生成するように光パルスシーケンス制御信号を用いる。
【００３０】
本発明の他の目的及び特徴については、添付図に関連付けて考慮される以下の詳細説明から明らかになる。しかしながら、それらの図は、単に例示のためのものであり、本発明の限界を規定するものではないと理解される必要がある。図において同様の参照番号は、全体を通して、同様のオブジェクトを示している。
【００３１】
図中のオブジェクトの寸法は、明確化のために選択されていて、実際の相対的な寸法を必ずしも反映していない。図中のオブジェクトは、必ずしもスケーリングして描かれてはいない。図においては、同様の参照番号は全体を通して同様のオブジェクトを表している。
【図面の簡単な説明】
【００３２】
【図１】固体光源を用いる従来の投影システムの関連要素を示す図である。
【図２】表示ユニットの関連要素及び画像の対応する画素を示す図である。
【図３】固体光源ドライバの切り替え特性を示す図である。
【図４】投影システムの表示ユニットについてのスイッチングシーケンスを示す図である。
【図５ａ】５０％の光出力を供給する、本発明に従った第１光パルスシーケンスを有する図４のスイッチングシーケンスを示す図である。
【図５ｂ】２５％の光出力を供給する、本発明に従った第２光パルスシーケンスを有する図４のスイッチングシーケンスを示す図である。
【図６】５０％の光出力を供給する、本発明に従った第３光パルスシーケンスを有する第２スイッチングシーケンスを示す図である。
【図７】第４スイッチングシーケンスを示す図である。
【図８】投影システムの光出力を調整する、本発明の第１実施形態に従ったシステムを示す図である。
【図９】投影システムの光出力を調整する、本発明の第２実施形態に従ったシステムで用いる表示ユニット制御器を示す図である。
【発明を実施するための形態】
【００３３】
図１は、以下の説明で最も関連する投影システムの対を示している。ここでは、ＬＥＤ光源１は、キャリア１１に備えられている表示ユニット２に方向付けられている光を生成する。表示ユニット２は、図２を参照して説明する方式で制御され、それ故、光は、光シンク（図示せず）の方に方向付けられるか又は、投影レンズ１２の方向に反射されるかのどちらかである。投影レンズ１２は、バックドロップ、スクリーンまたはＬＣＤディスプレイ（投影領域１３は、一般に、図に示されているものよりかなり大きい）等の投影領域１３に光が均一に投影されるように、光をフォーカシングする。簡単化のために、それらの関連構成要素のみが示されていて、適切な制御エレクトロニクス及びドライバがそのようなシステムの動作のためには必要である。
【００３４】
図２は、より詳細に表示ユニット２を示している。図２に示している表示ユニット２は、ここでは、Ｔｅｘａｓ  Ｉｎｓｔｒｕｍｅｎｔｓ（登録商標）社製のデジタルマイクロミラーデバイス（ＤＭＤ（登録商標））等の微細小型のミラーのアレイを有し、その表示ユニットにより、何れかの画像が生成され、その表示ユニットにより、例えば、映像フレームがレンダリングされることが可能である。そのような表示ユニットは、通常のアレイに備えられた数十万個又はそれ以上の微細小型のミラーを有することが可能である。そのアレイの各々のミラーは、図示していないが、投影領域に対して投影される画像の対応する画素又は部分に関連付けられ、投影領域における画像画素、即ち、結果として得られる画像が明るく又は暗くなるようになっているかに従って傾けられ、それ故、光は、表示ユニット２により、投影レンズ１２の方に及び投影領域（図示せず）に反射される、又は投影レンズ１２から離れてアブソーバ（図示せず）の方に反射される。制御可能要素Ｍ１、Ｍ６により境界付けられたミラーの列は、その図に模式的に示している画素Ｐ１、Ｐ２、Ｐ３、Ｐ４、Ｐ５、Ｐ６の列により関連付けられる。表示ユニットにおける各々の制御可能な要素は、関連画素についての強度の必要なレベルを得るように映像時間フレームの間に複数回スイッチングされる。表示ユニットのミラーについてのスイッチングシーケンスは４ビットの２進数（しばしば、スイッチングシーケンスは８乃至１０ビット又はそれ以上を有する）によりこの実施例において与えられる。その図においては、２進数の列は、ミラーの対応する列に関連付けられ、それ故、値‘００００’は最上ミラーＭ６及び画素Ｐ６に関連付けられ、値‘１１１１’は最下ミラーＭ１、及びそれ故、画素Ｐ１にも関連付けられる。値‘１００１’は、最下から２番目のミラーに関連付けられ、画素Ｐ２に対応する、等である。上記のように、高い値のビット（この場合、通常の表記における２進数の左の方へのビット）は、２進数‘１００１’の高い値のビット‘１’が、対応するミラーがビデオフレーム時間の約半分について‘オン’であり、同じ２進数の低い値のビット‘１’が、短い持続時間のみについて、ミラーを‘オン’にスイッチングするようにするように、映像フレーム時間の多くの割合が与えられる。換言すれば、単独のフレームにおける異なる輝度レベルのレンダリングにより、パルス幅変調方法の支援の効果がもたらされる。その２進数の２つの‘０’は、対応するミラーが関連持続時間について‘オフ’にスイッチングされるようにする。これは、映像フレーム時間ＶＴの間、‘バー’で概略的に示される。投影領域は、それ故、投影される画像を暗くする又は調光するように調光可能な成分として用いられることが可能である。そのような投影システムの実施例は、Ｔｅｘａｓ  Ｉｎｓｔｒｕｍｅｎｔｓ（登録商標）社のＤＬＰ（登録商標）システムである。必然的に、本発明は、一種の投影システムのみに限定されるものではなく、何れかの他の種類の投影システムと共に用いることが可能である。
【００３５】
上記のように、ＬＥＤ又はレーザダイオード等の固体光源についての切り替え回路のスイッチング特性は、光出力における重要な機能が、図３に示しているような、オンに切り替え直後に生成されるようなものである。ここでは、ＬＥＤは、バック変換器等の切り替え可能電源を用いて、時間ｔ１においてオンにスイッチングされ、時間ｔ２においてオフにスイッチングされ、光パルスＬＰが与えられる。ＬＰＥの光出力は、破線で示されている、好ましいレベルの設定の前に、持続時間ｔｏｓｃの間にかなり発振される。オフにスイッチングされたとき、ＬＥＤの光出力は、０まで実質的に瞬間的に降下する。本発明に従った方法においては、光パルスＬＰは、発振が生じた光パルスＬＰのその部分がスイッチングシーケンスの短いセグメントと一致しないように、表示ユニットのスイッチングシーケンスに対して配置される。
【００３６】
図４は、映像フレーム時間ＶＴにおけるディスプレイユニットの制御可能要素についてのスイッチングシーケンスを示している。理解し易いように、２進制御値のビットＢ１、Ｂ２、Ｂ３，Ｂ４及びＢ５の各々に割り当てられた映像フレーム時間ＶＴの割合を示すビットシーケンスが示されている。簡単化のために、５つのビットのみを有するビットシーケンスが示されている。実際には、そのようなビットシーケンスは、表示ユニットの画像レンダリング品質に従って、８乃至１４ビットを有することが可能である。その図から理解できるように、そのビットシーケンスの各々のビットは、後続のビットの長さの実質的に２倍の長さを有し、それ故、例えば、Ｂ１はＢ２の長さの２倍である。シーケンス４１においては、ビットシーケンス４０の長いビット、この場合は、ビットＢ１及びＢ２は、副区分又はセグメントＢ１１、Ｂ１２、Ｂ１３、Ｂ１４、Ｂ２１、Ｂ２２を与えるように、略均一に副分割されていて、表記‘Ｂ１２’はビットＢ１の第２副区分を表し、‘Ｂ２１’はビットＢ２の第１副区分を表す、等である。ビットＢ４はまた、２つのセグメントＢ４１、Ｂ４２に副分割される。ビットＢ３はそのまま残される。セグメントＢ１１、Ｂ１２、Ｂ１３、Ｂ１４、Ｂ２１、Ｂ２４、Ｂ４１、Ｂ４２は、その場合、スイッチングシーケンスＳを与えるように映像フレーム時間ＶＬに亘って分割されないセグメントＢ３、Ｂ５を伴って再配置され、そのスイッチングシーケンスにおいて、‘短い’セグメントＢ４１、Ｂ４２、Ｂ５は、長いセグメントＢ１１、Ｂ１２、Ｂ１３、Ｂ１４、Ｂ２１、Ｂ２４、Ｂ３と共に散在される。本発明に従ったスイッチングシーケンスコンパイラにおいては、セグメントは、持続時間又は長さに従って、及び持続時間が所定の閾値より長いか短いかにより、‘長い’又は‘短い’として分類される。ここで、所定の閾値は、最初の必要な変調レベルで除算された光源の光パルスの最小の持続時間又は長さである。このことは、各々の‘長い’セグメントが、最長の調光レベルにおいて、セグメントが終了する時間まで光パルスが整定したような長さを有することを確実にする。代替として。特定の光源についての所定の閾値は、図３に示す発振持続時間ｔｏｓｃの倍数であることが可能である。
【００３７】
図５ａにおいては、図４のスイッチングシーケンスが、５０％の光出力を与えるように本発明に従った光パルスシーケンスＬ５０と共に示されている。斜線付けされたバーＬ１００は、例示目的で含まれ、フル光出力又は１００％の光出力を示している。フル光出力で動作するとき、光源は常にオンのままである。５０％の光出力においては、光源は、映像フレーム時間における正味の光出力がフル光出力の５０％であるように、光パルスシーケンスＬ５０においてパルス化される。更に、スイッチングシーケンスＳ１のセグメントＢ１１、Ｂ４１、Ｂ２１、Ｂ１２、Ｂ１３、Ｂ５、Ｂ３、Ｂ４２、Ｂ１４、Ｂ２２は各々、縦方向の破線で示されている光パルスＬＰの５０％により‘カバー’されている。その図から明確に理解できるように、短いセグメントＢ４１、Ｂ５、Ｂ４２は各々、光パルスＬＰの端により半分のみがカバーされ、それらの光パルスＬＰは、先行する長いセグメントＢ１１、Ｂ１３、Ｂ３のそれぞれの中で開始する。
【００３８】
図５ｂは、２５％の光出力を与えるように光パルスシーケンスＬ２５と共にスイッチングシーケンスＳ１を示している。この場合、光パルスシーケンスＬ２５の光パルスの持続時間は、スイッチングシーケンスＳ１のセグメントＢ１１、Ｂ４１、Ｂ２１、Ｂ１２、Ｂ１３、Ｂ５、Ｂ３、Ｂ４２、Ｂ１４、Ｂ２２は光パルスＬＰの２５％により‘カバー’されている。また、この光パルスＬＰは縦方向の破線で示されている。この図はまた、光パルスが短いセグメントＢ４１、Ｂ５、Ｂ４２内で終わり、先行するセグメント内で始まる。
【００３９】
例えば、カラーホイールに関連して用いられる白色光源を有するシステムにおいては、図４．５ａ及び５ｂのスイッチングシーケンスは、各々の色について単純に繰り返されることが可能であり、それ故、赤色画像、緑色画像及び青色画像が連続的に生成される。
【００４０】
図６は、この場合は、複数の異なる色の固体光源についての第２スイッチングシーケンスを示している。ここでは、映像フレーム時間ＶＴはまた、映像フレームの持続時間を与えている。明らかに、そのカラーについてのスイッチングシーケンスは、白色光源についてのスイッチングシーケンスの持続時間の三分の一のみであることが可能である。図４に示す５ビットスイッチングシーケンスは、各々の色、即ち、赤色、緑色及び青色についてコンパイルされ、それらの３つのスイッチングシーケンスは、映像フレーム時間ＶＴを満たす組み合わされたスイッチングシーケンスＳＲＧＢを与えるようにスイッチングシーケンスの同一部分を繰り返すことによりインターリーブされる。その図に示す組み合わされたスイッチングシーケンスＳＲＧＢの最初の部分は、繰り返されるセグメントＢ２１、Ｂ１２により後続される、等などの、赤色光源、緑色光源及び青色光源のそれぞれについて繰り返されるセグメントＢ１１、Ｂ４１を有する。光パルスシーケンスＬＲ５０、ＬＧ５０、ＬＢ５０は、フル光出力の５０％で動作する赤色光源、緑色光源及び青色光源の各々について光パルスＬＰを示している。
【００４１】
図７は、図６に示している３つの異なる光の光源についての３つのインターリーブされたスイッチングシーケンスを本質的に有する第３スイッチングシーケンスＳｉｎtを示し、そのシーケンスにおいては、スイッチングシーケンスの長いセグメントは共にグループ化されている。その図の制約のために、‘長い’ビットＢ１１、Ｂ２1，Ｂ２２，Ｂ３２は助リングして示されていず、それ故、それらのビットは、‘短い’ビットＢ４と同じ長さを有するように示されている。実際には、それらの長いビットの持続時間はかなり長い。スイッチングシーケンスＳｉｎtの短いセグメントは、個別の短いセグメント又は短いセグメントのクラスタがインターバル又はポーズ（その図においてスイッチングシーケンスＳｉｎtの斜線で示されている）により分離されるように配置される。それらのインターバルにおいて、ミラーはそれらの‘オフ’の位置にされている。光パルスシーケンサは、光パルスＬＰの活性化がセグメントのグループ間のインターバルに又は長いセグメントに入るように、個別の色についての光パルスＬＰを生成し、それ故、光源のオンのスイッチング時に現れる発振がスイッチングシーケンスＳｉｎtの短いセグメントに入ることが確実にされる。それらのシーケンスＬＲｉｎｔ１００、ＬＧｉｎｔ１００、ＬＢｉｎｔ１００は、フルパワーにおけるそれぞれの赤色光源、緑色光源及び青色光源の活性化及び非活性化を示している。それらのセグメントの各々は、適切な色の光により１００％までカバーされる。それ以下では、スイッチングシーケンスＳｉｎtが、明確化のために再び示され、光パルスシーケンスＬＲｉｎｔ５０、ＬＧｉｎｔ５０、ＬＢｉｎｔ５０は、異なる光源についての５０％のパワーにおける光パルスＬＰを示している。長いセグメントの各々、例えば、セグメントＢ１１、Ｂ２２は、適切な光パルスシーケンスＬＲｉｎｔ５０、ＬＧｉｎｔ５０、ＬＢｉｎｔ５０の光パルスＬＰにより５０％までカバーされる。短いセグメントＢ４、Ｂ５については、光パルスＬＰは、光パルスＬＰの活性化がインターバル（セグメント間の斜線付けされた領域）に入り、セグメントＢ４、Ｂ５は、非活性化される前に、光パルスＬＰの５０％までカバーされる。
【００４２】
図８は、投影システム９の光出力を調整するシステムを示している。図１の構成要素、即ち、表示ユニット２と、光源１と、表示ユニットから投影領域（図示せず）に光をフォーカシングするのに必要な投影レンズ１２と、がその図に示されている。この実施形態における光源１は、異なる色の、即ち赤色、緑色及び青色のＬＥＤを有する複合光源であることが前提とされている。
【００４３】
表示ユニット制御器１０は、映像データのソース、例えば、テレビジョン受信器、ＤＶＤプレーヤ等からの映像データ１７が提供され、表示ユニット２によりレンダリングするための映像データを調整するように必要なステップを実行することが可能である。この実施形態におけるディスプレイユニット制御器１０はまた、制御可能要素Ｍ１、Ｍ６（明確化のために、それらの２つのみが示されている）をスイッチングするように、表示ユニット２に、スイッチングシーケンスＳＲＧＢ又は制御ビットシーケンスを発するスイッチングシーケンスコンパイラ４を有する。スイッチングシーケンスに関する情報はまた、適切なインタフェース８により光源駆動構成７に転送され、それ故、光源駆動構成７の光パルスシーケンサ６は、光源がスイッチングシーケンスＳＲＧＢに対して同期した赤色、緑色及び青色光パルスＬＰを生成するようにする適切な信号１４を発することが可能である。光パルスＬＰの持続時間は、光出力が調光されるようになっている部分により支配される。調光の部分はスイッチングシーケンスＳＲＧＢにより達成され、残りの必要な調光については、出力調整信号１５として光源駆動構成７のインタフェース５に表示される。光源の光出力はまた、投影システム９における調整ノブにより正確に指定されることが可能である。そのような光出力調整信号１５´はまた、光源駆動構成７のインタフェース５に転送される。
【００４４】
同様に、光パルスシーケンサ６は、光源駆動構成７において実現されることに代えて、別個の構成として実現されることが可能であり、又は、図９の代替の構成において示しているように、表示ユニット制御器１０´に直接、組み込まれることが可能である。ここで、光パルスシーケンサ６´は、上記のようなスイッチングシーケンスＳＲＧＢを生成するスイッチングシーケンスコンパイラ４と、投影システムの制御ノブ等の外部ソースから光出力調整指標１５´を得るためのインタフェースと共に、投影システムについての表示ユニット制御器１０´に組み込まれる。付加インタフェース（図示せず）は、映像データから光出力調整指標を得る。光出力調整指標は、スイッチングシーケンスＳＲＧＢに従った投影システムの光源の光出力を調整するように光パルスシーケンサ６´により用いられる。この実施形態においては、外部光源駆動構成（図示せず）は、適切な出力１８により表示ユニット制御器１０´から発せられた適切な制御信号１９を受信する。
【００４５】
本発明については、上で好適な実施形態及びその変形の形で詳述しているが、本発明の範囲から逸脱することなく、多くの更なる修正及び変形を実施することが可能であることを理解することができる。例えば、赤色、青色及び緑色ＬＥＤを用いる投影システムにおいて、表示ユニットは、別個の表示ユニットが各々の色について用いられる３パネルデザインを有することが可能である。そのようなデザインにおいて、赤色、青色及び緑色画像が同時に生成され、単一の画像を与えるように光学的に結合される。別個のパネル又は表示ユニットについてのスイッチングシーケンスは、その場合、同時に実行される一方、異なるＬＥＤは、上記の光パルスシーケンスに従ってスイッチングされる。
【００４６】
明確化のために、単数表現は、本明細書を通して、複数の存在を排除するものではなく、用語“を有する”は他のステップ又は要素を排除するものではない。用語“ユニット”又は“モジュール”は、単独のエンティティとして明示的に記載されていない場合であっても、複数のブロック又は装置を有することが可能である。表現における値‘１’及び‘０’は、表示ユニットにおける制御可能要素の‘オン’及び‘オフ’位置に対応するように用いられているが、同様に、‘オフ’又は‘オン’位置のそれぞれに制御可能要素をもたらすように用いられることも可能である。‘オン’への‘１’の、‘オフ’への‘０’の割り当ては、純粋に任意であり、少なくとも限定的なものではない。
【図１】
0005443994.tif 000002
【図２】
0005443994.tif 000003
【図３】
0005443994.tif 000004
【図４】
0005443994.tif 000005
【図５ａ】
0005443994.tif 000006
【図５ｂ】
0005443994.tif 000007
【図６】
0005443994.tif 000008
【図７】
0005443994.tif 000009
【図８】
0005443994.tif 000010
【図９】
0005443994.tif 000011